(57)【要約】  本発明は、ＳＣＲ触媒（２６０）の上流の排気流に還元剤を供給し、排気ガス中のＮＯＸ含有量をＳＣＲ触媒（２６０）の上流及び下流で測定し、ＳＣＲ触媒（２６０）内の還元剤結晶のいずれの存在を検知する、ＳＣＲシステムに関連する方法に関する。本方法は、気化した還元剤がＳＣＲ触媒内から実質的になくなるように、排気流への還元剤の供給を初めに遮断するステップ、並びにこれに続いて、還元剤結晶が気化する温度において、ＳＣＲ触媒（２６０）の上流及び下流でＮＯＸ含有量を測定するステップを含む。これらの値を互いに比較し、測定したＮＯＸ含有量の間の差が一定の値を超過する場合、これを、ＳＣＲ触媒内に還元剤結晶が存在することの指標とみなす。本方法はまた、ＮＯＸ含有量が正しく測定されたことを決定するステップ、及びＮＯＸ含有量が正しく測定され、ＳＣＲ触媒（２６０）内の還元剤結晶の存在が示された場合に、還元剤結晶が存在するものと結論づけるステップを含む。本発明はまた、上記方法を実装するためのプログラムコード（Ｐ）を含むコンピュータプログラム製品にも関する。本発明はまた、ＳＣＲシステム及びこのシステムを備える自動車両（１００、１１０）にも関する。【選択図】図２ｂ
2014527599.tif 000002
【特許請求の範囲】
【請求項１】
ＳＣＲ触媒（２６０）の上流の排気流に還元剤を供給し、排気ガス中のＮＯＸ含有量を前記ＳＣＲ触媒（２６０）の上流及び下流で測定し、前記ＳＣＲ触媒（２６０）内の還元剤結晶のいずれの存在を検知する、ＳＣＲシステムに関連する方法であって、
以下のステップ：
第１の時点（ｔ１）において、気化した前記還元剤が前記ＳＣＲ触媒（２６０）内から実質的になくなるように、前記排気流への前記還元剤の供給を遮断するステップ（ｓ４１０）；
前記還元剤結晶が気化する前記ＳＣＲ触媒（２６０）の第１の温度（Ｔ１）に対応する、より後の第２の時点（ｔ２）において、前記ＳＣＲ触媒（２６０）の上流及び下流でＮＯＸ含有量を測定するステップ（ｓ４２０）；
前記ＳＣＲ触媒（２６０）の上流で測定したＮＯＸ含有量と前記ＳＣＲ触媒（２６０）の下流で測定したＮＯＸ含有量とを比較して、前記ＳＣＲ触媒（２６０）の上流で測定したＮＯＸ含有量と前記ＳＣＲ触媒（２６０）の下流で測定したＮＯＸ含有量との間の差が一定の値を超過する場合、前記差を、前記ＳＣＲ触媒（２６０）内に還元剤結晶が存在する可能性の指標とみなすステップ（ｓ４３０）；
還元剤結晶が気化しない前記ＳＣＲ触媒（２６０）の第２の温度（Ｔ２）に対応する第３の時点（ｔ３）において、前記ＳＣＲ触媒（２６０）の上流及び前記ＳＣＲ触媒（２６０）の下流でＮＯＸ含有量を測定するステップ（ｓ４４０）；
前記ＳＣＲ触媒（２６０）の上流で測定したＮＯＸ含有量と前記ＳＣＲ触媒（２６０）の下流で測定したＮＯＸ含有量とを比較して、前記ＳＣＲ触媒（２６０）の上流で測定したＮＯＸ含有量と前記ＳＣＲ触媒（２６０）の下流で測定したＮＯＸ含有量との間の差が一定の値未満である場合、前記ＮＯＸ含有量が正しく測定されているものとするステップ（ｓ４５０）；並びに
前記ＮＯＸ含有量が正しく測定され、前記ＳＣＲ触媒（２６０）内の前記還元剤結晶の存在が示された場合に、還元剤結晶の存在を結論づけるステップ
を特徴とする、方法。
【請求項２】
前記第３の時点（ｔ３）は更に後である、請求項１に記載の方法。
【請求項３】
前記第３の時点（ｔ３）は、前記第１の時点（ｔ１）及び前記第２の時点（ｔ２）より前である、請求項１に記載の方法。
【請求項４】
前記第１の温度（Ｔ１）は３００℃超である、請求項１から３のいずれか１項に記載の方法。
【請求項５】
前記第２の温度（Ｔ２）は２００℃未満である、請求項１から４のいずれか１項に記載の方法。
【請求項６】
前記還元剤は、尿素をベースとする還元剤、例えばＡｄＢｌｕｅである、請求項１から５のいずれか１項に記載の方法。
【請求項７】
前記第２の時点（ｔ２）の後に、還元剤を前記排気流に供給するステップ
を更に含む、請求項１から６のいずれか１項に記載の方法。
【請求項８】
ＳＣＲ触媒（２６０）の上流の排気流に還元剤を供給するよう適合された手段、並びに排気ガス中のＮＯＸ含有量を前記ＳＣＲ触媒（２６０）の上流及び下流で測定することによって前記ＳＣＲ触媒（２６０）内の還元剤結晶のいずれの存在を検知するよう適合された手段（２４５、２５５）を備える、ＳＣＲシステムであって、
以下の手段：
第１の時点（ｔ１）において、気化した還元剤が前記ＳＣＲ触媒（２６０）内から実質的になくなるように、前記排気流への前記還元剤の供給を遮断するよう適合された手段（２００；２１０；５００）；
還元剤結晶が気化する前記ＳＣＲ触媒（２６０）の第１の温度（Ｔ１）に対応する、より後の第２の時点（ｔ２）において、前記ＳＣＲ触媒（２６０）の上流及び下流でＮＯＸ含有量を測定するよう適合された手段（２４５、２５５）；
前記ＳＣＲ触媒（２６０）の上流で測定したＮＯＸ含有量と前記ＳＣＲ触媒（２６０）の下流で測定したＮＯＸ含有量とを比較するよう適合された手段（２００；２１０；５００）であって、前記ＳＣＲ触媒（２６０）の上流で測定したＮＯＸ含有量と前記ＳＣＲ触媒（２６０）の下流で測定したＮＯＸ含有量との間の差が一定の値を超過する場合、前記差を、前記ＳＣＲ触媒（２６０）内に還元剤結晶が存在する可能性の指標とみなす、手段（２００；２１０；５００）；
還元剤結晶が気化しない前記ＳＣＲ触媒（２６０）の第２の温度（Ｔ２）に対応する第３の時点（ｔ３）において、前記ＳＣＲ触媒（２６０）の上流及び前記ＳＣＲ触媒（２６０）の下流でＮＯＸ含有量を測定するよう適合された手段（２４５、２５５）；
前記ＳＣＲ触媒（２６０）の上流で測定したＮＯＸ含有量と前記ＳＣＲ触媒（２６０）の下流で測定したＮＯＸ含有量とを比較するよう適合された手段（２００；２１０；５００）であって、前記ＳＣＲ触媒（２６０）の上流で測定したＮＯＸ含有量と前記ＳＣＲ触媒（２６０）の下流で測定したＮＯＸ含有量との間の差が一定の値未満である場合、前記ＮＯＸ含有量が正しく測定されているものと結論づける、手段（２００；２１０；５００）；並びに
前記ＮＯＸ含有量が正しく測定され、前記ＳＣＲ触媒（２６０）内の還元剤結晶の存在が示された場合に、前記還元剤結晶の存在を決定するよう適合された手段
を特徴とする、ＳＣＲシステム。
【請求項９】
前記第２の時点（ｔ２）の後に、還元剤を前記排気流に供給するよう適合された手段（２５０、２００、２１０、５００）を更に備える、請求項８に記載のＳＣＲシステム。
【請求項１０】
請求項８又は９に記載のＳＣＲシステムを備える、自動車両（１００；１１０）。
【請求項１１】
車両はトラック、バス又は乗用車のいずれかである、請求項１０に記載の自動車両（１００；１１０）。
【請求項１２】
ＳＣＲ触媒（２６０）の上流の排気流に還元剤を供給し、前記排気ガス中の前記ＮＯＸ含有量を前記ＳＣＲ触媒（２６０）の上流及び下流で測定し、前記ＳＣＲ触媒（２６０）内の還元剤結晶のいずれの存在を検知する、ＳＣＲシステムに関連するコンピュータプログラム（Ｐ）であって、
電子制御ユニット（２００；５００）又は前記電子制御ユニット（２００；５００）に接続された別のコンピュータ（２１０；５００）に、請求項１から７のいずれか１項に記載のステップを実行させるための、プログラムコードを含む、コンピュータプログラム（Ｐ）。
【請求項１３】
前記コンピュータプログラムが電子制御ユニット（２００；５００）又は前記電子制御ユニット（２００；５００）に接続された別のコンピュータ（２１０；５００）上で実行される場合に、請求項１から７のいずれか１項に記載の方法ステップを実行するためのコンピュータ可読媒体に記憶されたプログラムコードを含むコンピュータプログラム製品。
【発明の詳細な説明】
【技術分野】
【０００１】
本発明は、ＳＣＲ触媒の上流の排気流に還元剤を供給し、排気ガス中のＮＯＸ含有量を触媒の上流及び下流で測定し、触媒内の還元剤結晶のいずれの存在を検知する、ＳＣＲシステムに関連する方法に関する。本発明はまた、本発明による方法を実装するためのコンピュータ用プログラムコードを含む、コンピュータプログラム製品にも関する。本発明はまた、ＳＣＲシステム及びこのＳＣＲシステムを備える自動車両にも関する。
【背景技術】
【０００２】
現行の車両は、ＳＣＲ（選択的触媒還元）システムの還元剤として例えば尿素を使用しており、ＳＣＲシステムはＳＣＲ触媒を備え、このＳＣＲ触媒において、前記還元剤とＮＯＸガスを反応させて窒素ガス及び水に変換できる。ＳＣＲシステムでは様々な種類の還元剤を使用してよい。一般的に使用される還元剤の一例は、ＡｄＢｌｕｅである。
【０００３】
ある種類のＳＣＲシステムは、還元剤を保持するコンテナを備える。ＳＣＲシステムはまた、コンテナから吸引ホースを介して前記還元剤を取り出し、車両の排気システムに隣接して（例えば排気システムの排気パイプに隣接して）配置された添加ユニットに圧力ホースを介してこの還元剤を供給するよう適合されたポンプを有する。添加ユニットは、車両の制御ユニットに記憶された走行ルーチンに応じて、ＳＣＲ触媒の上流の排気パイプに必要量の還元剤を射出するよう適合される。添加量が少ないか又は全くない場合の圧力の調節を容易にするために、このシステムはまた、システムの圧力側からコンテナへと戻る戻りホースを備える。
【０００４】
車両の排気ダクト内のＳＣＲ触媒は特に、気化モジュール及びＳＣＲ基板を有する部分を備える。前記気化モジュール部分は、排気ガスと添加された還元剤とのより良好な混合を達成するために、前記添加された還元剤を気化させるよう適合される。
【０００５】
添加された還元剤の全てが気化されない場合、その沈殿物が形成され得、これは通常は結晶からなり、ＳＣＲ触媒の気化モジュールの１つ又は複数の部分に付着する。還元剤を連続的に添加すると、これらの結晶が更に形成され、不都合な結果につながり得る。自動車両のＳＣＲシステムにおける還元剤結晶の形成に関する問題は公知である。
【０００６】
還元剤結晶の前記のような望ましくない形成の一因は、特定の動作条件において気化モジュールの気化性能を過大評価することである。前記還元剤結晶はまた、尿素石と呼ばれることもある。
【０００７】
ＳＣＲ触媒の気化モジュールにおける尿素石の形成に関連する問題は数多く存在する。
【０００８】
第一に、エンジンの排気システム内で排気の背圧が上昇する場合があり、これはエンジンに多大な負荷をかけ、これによってエンジンは、望ましくない高負荷下で不必要に厳しい動作を強いられる。
【０００９】
第二に、ＳＣＲ触媒による変換効率が損なわれる場合があり、これは車両からの排気の望ましくない増加を引き起こす。
【００１０】
第三に、尿素石の形成が防止されない場合、排気システムは最終的に完全に詰まってしまうことがあり、これは排気流の通過を完全に阻止してしまう。
【００１１】
特許文献１は、内燃機関の下流に接続され、ＳＣＲ触媒を備える、後処理デバイスを駆動するための方法を記載している。この方法は、触媒の再生産のために、集積する尿素堆積物の閾値を設定するステップ、この閾値に到達したかどうかを決定するステップ、及び所定の再生産温度に所定の時間だけ触媒を維持することによって触媒を再生産するステップを含む。
【００１２】
特許文献２は、排気流路の内壁上の堆積物の集積量が所定の値以上であるかどうかを決定する、排気清浄システムを記載している。集積量が所定の値以上である場合、弁を用いてシステムへの尿素溶液の供給を低減する。その後、ディーゼルエンジンのトルクが上昇すると、排気ガスの温度は急速に上昇する。こうして内壁上に集積した堆積物は分解され、アンモニアの形態でＳＣＲ触媒に供給される。
【先行技術文献】
【特許文献】
【００１３】
【特許文献１】米国特許第２００８／０２７１４４０号
【特許文献２】米国特許第２０１０／０１２２５２５号
【発明の概要】
【発明が解決しようとする課題】
【００１４】
本発明の目的は、ＳＣＲシステムの性能を改善するための新規かつ有利な方法を提案することである。
【００１５】
本発明の別の目的は、ＳＣＲシステムの性能を改善するための新規かつ有利なＳＣＲシステム及び新規かつ有利なコンピュータプログラムを提案することである。
【００１６】
本発明の目的は、ＳＣＲシステムのＳＣＲ触媒内の望ましくない還元剤結晶の存在を高い信頼性をもって検知するための、新規かつ有利な方法を提案することである。
【００１７】
本発明の更なる目的は、ＳＣＲシステムに関連する代替方法、ＳＣＲシステムに関連する代替コンピュータプログラム、及びＳＣＲシステムのＳＣＲ触媒内の望ましくない還元剤結晶の存在を高い信頼性をもって検知できる代替ＳＣＲシステムを提案することである。
【課題を解決するための手段】
【００１８】
これらの目的は、ＳＣＲ触媒の上流の排気流に還元剤を供給し、排気ガス中のＮＯＸ含有量を触媒の上流及び下流で測定し、触媒内の還元剤結晶のいずれの存在を検知する、請求項１に記載の、ＳＣＲシステムに関連する方法によって達成される。
【００１９】
本発明の一態様として提案されるのは、ＳＣＲ触媒の上流の排気流に還元剤を供給し、排気ガス中のＮＯＸ含有量を触媒の上流及び下流で測定し、触媒内の還元剤結晶のいずれの存在を検知する、ＳＣＲシステムに関連する方法である。この革新的な方法は、以下のステップ：
第１の時点において、気化した還元剤が触媒内から実質的になくなるように、排気流への還元剤の供給を遮断するステップ；
還元剤結晶が気化する触媒の第１の温度に対応する、第１の時点より後の第２の時点において、触媒の上流及び下流でＮＯＸ含有量を測定するステップ；
触媒の上流及び下流で測定したＮＯＸ含有量を比較して、触媒の上流で測定したＮＯＸ含有量と触媒の下流で測定したＮＯＸ含有量との間の差が一定の値を超過する場合、これを、触媒内に還元剤結晶が存在する可能性の指標とみなすステップ；
還元剤結晶が気化しない触媒の第２の温度に対応する第３の時点において、触媒の上流及び下流でＮＯＸ含有量を測定するステップ；
触媒の上流及び下流で測定したＮＯＸ含有量を比較して、触媒の上流で測定したＮＯＸ含有量と触媒の下流で測定したＮＯＸ含有量との間の差が一定の値未満である場合、ＮＯＸ含有量が正しく測定されているものとするステップ；並びに
ＮＯＸ含有量が正しく測定され、触媒内の還元剤結晶の存在が示された場合に、還元剤結晶の存在を結論づけるステップ
を含む。
【００２０】
添加され貯蔵された尿素をＳＣＲ触媒内からなくし、続いて、還元剤結晶が気化できる温度で触媒の上流及び下流においてＮＯＸ含有量を測定することにより、測定されたＮＯＸのレベル間に差があるかどうかを決定できる。差が一定のレベルを超過する場合、
ａ）設置した２つのＮＯＸセンサのうちの少なくとも１つが故障している、及び／又は
ｂ）少なくとも部分的に気化し、触媒の下流で測定されるＮＯＸ含有量に影響を与えた少なくとも１つの還元剤結晶が触媒内に存在する
と推測できる。
【００２１】
本明細書では、ＮＯＸセンサが意図した通りに動作しており、従って正しく測定を実行している（即ちエラーがない）場合に、ＮＯＸ含有量が正しく測定されているものとみなす。
【００２２】
上述のａ）のようにＮＯＸセンサのいずれかが故障している可能性、例えばいわゆるゲインエラーを排除するために、還元剤結晶が気化できない温度で、ＳＣＲ触媒の上流及び下流においてＮＯＸ含有量を別に測定する。このようにして、触媒の上流及び下流におけるＮＯＸ含有量のいずれの差を決定できる。この差が一定のレベル未満である場合、センサは適切に動作しており、かつ少なくとも１つの還元剤結晶が触媒内に存在すると考えられる。このような状況では、２つのセンサは、触媒の上流及び下流のそれぞれの一において実質的に同一のＮＯＸ含有量を測定することになる。
【００２３】
ＳＣＲ触媒の気化モジュール内における還元剤結晶の存在の検知は、車両が道路上を移動している間に実施してよい。よって、本発明の一態様として提案されるのは、検知方法を作業場又はサービスセンターで実施するために車両を停止させる必要のない、利用しやすい方法である。
【００２４】
代替として、ＳＣＲ触媒の気化モジュール内における還元剤結晶の存在の検知は、このような作業場又はサービスセンターで実施してよい。これは例えば、計画的な保守作業の場合において適切であり得る。この目的のために、車両のエンジンを高速で動かし、車両の排気ブレーキを用いて適切な排気の背圧を印加することにより、還元剤を気化させる等のための触媒の温度上昇を達成してよい。反対に、車両のエンジンを一定の時間だけアイドリング速度で動かすことにより、還元剤を気化させない等のための触媒の温度低下を達成してよい。これら２つの異なる温度において、触媒の上流及び下流におけるＮＯＸ含有量の測定を行うことにより（高温での測定は、添加され貯蔵され還元剤をＳＣＲ触媒からなくす、本発明によるステップの後に行われる）、作業場又はサービスセンターにおいて、触媒内に還元剤結晶が存在するかどうかを決定できる。
【００２５】
前記第３の時点は更に後であってよく、即ち第１の時点及び第２の時点の両方より後であってよい。
【００２６】
前記第３の時点は、前記第１の時点及び前記第２の時点より前であってよく、この場合、本発明の一態様による、より多用途の方法が得られる。
【００２７】
実質的にいずれの適切な時点において、即ち還元剤結晶が気化しない温度において、ＳＣＲ触媒の上流及び下流での１回のＮＯＸ含有量測定を実施できることにより、本発明によるより柔軟な方法が得られる。
【００２８】
前記第１の温度は３００℃超であってよい。これは所定の値を超えることがある。このような状況では、ＳＣＲシステム内の所望の還元剤の気化を引き起こす適切な温度を使用してよい。これにより、本発明の一態様による、より多用途の方法が得られる。
【００２９】
前記第２の温度は２００℃未満であってよい。これは所定の値を下回ることがある。このような状況では、ＳＣＲシステム内の所望の還元剤の気化を引き起こさない適切な温度を使用してよい。これにより、本発明の一態様による、より多用途の方法が得られる。
【００３０】
前記還元剤は、尿素をベースとする還元剤、例えばＡｄＢｌｕｅであってよい。
【００３１】
本方法は更に、第２の時点の後に還元剤を排気流に供給するステップを含んでよい。本方法は、第３の時点が第２の時点より後である場合に、第２の時点の後かつ第３の時点の前に還元剤を排気流に供給するステップを含んでよい。これにより、ＳＣＲ触媒の上流及び下流のＮＯＸ含有量の測定を行う、還元剤結晶が気化できない低温をもたらす動作条件下において、ＳＣＲシステムからの低排気を達成できる。
【００３２】
本方法は、既存の自動車両に容易に実装できる。ＳＣＲ触媒の上流の排気流に還元剤を供給し、触媒の上流及び下流において排気ガス中のＮＯＸ含有量を測定し、触媒内の還元剤結晶のいずれの存在を検知する、本発明によるＳＣＲシステムに関連するソフトウェアを、車両の製造中に車両の制御ユニットに設置してよい。こうして、車両の購入者がオプションとして本方法の機能を選択できるようにしてよい。代替として、ＳＣＲ触媒の上流の排気流に還元剤を供給し、触媒の上流及び下流において排気ガス中のＮＯＸ含有量を測定し、触媒内の還元剤結晶のいずれの存在を検知する、ＳＣＲシステムに関連する革新的な本方法を適用するためのプログラムコードを備えるソフトウェアを、サービスステーションでのアップグレードの際に車両の制御ユニットに設置してよく、この場合、ソフトウェアは制御ユニットのメモリに格納してよい。
【００３３】
ＳＣＲ触媒の上流の排気流に還元剤を供給し、触媒の上流及び下流において排気ガス中のＮＯＸ含有量を測定し、触媒内の還元剤結晶のいずれの存在を検知する、ＳＣＲシステムに関連するプログラムコードを備えるソフトウェアは、容易に更新又は交換できる。更に、ＳＣＲ触媒の上流の排気流に還元剤を供給し、触媒の上流及び下流において排気ガス中のＮＯＸ含有量を測定し、触媒内の還元剤結晶のいずれの存在を検知する、ＳＣＲシステムに関連するプログラムコードを備えるソフトウェアの様々な部分を、互いに独立して交換してよい。このモジュール式構成は、保守の観点から有利である。
【００３４】
本発明の一態様として提案されるのは、ＳＣＲ触媒の上流の排気流に還元剤を供給するよう適合された手段、並びに排気ガス中のＮＯＸ含有量を触媒の上流及び下流で測定することによって触媒内の還元剤結晶のいずれの存在を検知するよう適合された手段を備える、ＳＣＲシステムである。このＳＣＲシステムは：
第１の時点において、気化した還元剤が触媒内から実質的になくなるように、排気流への還元剤の供給を遮断するための手段；
還元剤結晶が気化する触媒の第１の温度に対応する、第１の時点より後の第２の時点において、触媒の上流及び下流でＮＯＸ含有量を測定するための手段；
触媒の上流及び下流で測定したＮＯＸ含有量を比較するための手段であって、ここで触媒の上流で測定したＮＯＸ含有量と触媒の下流で測定したＮＯＸ含有量との間の差が一定の値を超過する場合、これを、触媒内に還元剤結晶が存在する可能性の指標とみなす、手段；
還元剤結晶が気化しない触媒の第２の温度に対応する第３の時点において、触媒の上流及び下流でＮＯＸ含有量を測定するための手段；
触媒の上流及び下流で測定したＮＯＸ含有量を比較するための手段であって、ここで触媒の上流で測定したＮＯＸ含有量と触媒の下流で測定したＮＯＸ含有量との間の差が一定の値未満である場合、ＮＯＸ含有量が正しく測定されているものと結論づける、手段；及び
ＮＯＸ含有量が正しく測定され、ＳＣＲ触媒内の還元剤結晶の存在が示された場合に、還元剤結晶の存在を決定するための手段
を備える。
【００３５】
独立請求項９から１３を参照して、有利な実施形態を示す。
【００３６】
上述の目的はまた、本ＳＣＲシステムを備える自動車両によっても達成される。この車両はトラック、バス又は乗用車であってよい。
【００３７】
本発明のある態様として提案されるのは、ＳＣＲ触媒の上流の排気流に還元剤を供給し、触媒の上流及び下流において排気ガス中のＮＯＸ含有量を測定し、触媒内の還元剤結晶のいずれの存在を検知する、ＳＣＲシステムに関連するコンピュータプログラムであり、このプログラムは、電子制御ユニット又はこの電子制御ユニットに接続された別のコンピュータに、請求項１から７のいずれか１項に記載のステップを実行させるための、コンピュータ可読媒体に記憶されたプログラムコードを含む。
【００３８】
本発明のある態様として提案されるのは、ＳＣＲ触媒の上流の排気流に還元剤を供給し、触媒の上流及び下流において排気ガス中のＮＯＸ含有量を測定し、触媒内の還元剤結晶のいずれの存在を検知する、ＳＣＲシステムに関連するコンピュータプログラムであり、このプログラムは、電子制御ユニット又はこの電子制御ユニットに接続された別のコンピュータに、請求項１から７のいずれか１項に記載のステップを実行させるための、プログラムコードを含む。
【００３９】
本発明のある態様として提案されるのは、コンピュータ可読媒体に記憶されたプログラムコードを含むコンピュータプログラム製品であり、このプログラムコードは、電子制御ユニット又はこの電子制御ユニットに接続された別のコンピュータが前記コンピュータプログラムを実行した場合に、請求項１から７のいずれか１項に記載のステップを実行するためのものである。
【００４０】
当業者には、本発明の更なる目的、利点及び新規の特徴は、以下の詳細な説明から及び本発明を実施することによっても明らかになるであろう。本発明について以下で説明するが、本発明はここで説明する具体的詳細に制限されないことに留意されたい。本明細書に記載の教示に触れた当業者は、本発明の範囲内である他の分野における更なる応用、改変及び援用を理解するであろう。
【００４１】
本発明並びにその更なる目的及び利点のより完全な理解のために、以下の詳細な説明を添付の図面と関連付けて読むべきである。これら添付の図面では、複数の図において同様の事物には同一の参照番号を付してある。
【図面の簡単な説明】
【００４２】
【図１】図１は、本発明のある実施形態による車両の概略図である。
【図２ａ】図２ａは、本発明のある実施形態による、図１に示した車両のためのサブシステムの概略図である。
【図２ｂ】図２ｂは、本発明のある実施形態による、図１に示した車両のためのサブシステムの概略図である。
【図３】図３は、本発明のある態様による、多数の異なるグラフを概略的に示す。
【図４ａ】図４ａは、本発明のある実施形態による方法の概略的なフローチャートである。
【図４ｂ】図４ｂは、本発明のある実施形態による方法の、より詳細な概略フローチャートである。
【図５】図５は、本発明のある実施形態によるコンピュータの概略図である。
【発明を実施するための形態】
【００４３】
図１は、車両１００の側面図である。ここに例示した車両は、トラクタユニット１１０及びセミトレイラー１１２を備える。この車両は重量車両、例えばトラック又はバスであってよい。代替として、この車両は乗用車であってよい。
【００４４】
本発明はいずれのＳＣＲシステムにおける応用に適しており、従って自動車両のＳＣＲシステムに限定されないことに留意されたい。本発明のある態様による革新的な方法及び革新的なＳＣＲシステムは、例えば船舶等、ＳＣＲシステムを備える自動車両以外のプラットフォームにもよく適している。船舶は例えばモーターボート、汽船、フェリー又は大型船等のいずれの種類のものであってよい。
【００４５】
本発明のある態様による革新的な方法及び革新的なＳＣＲシステムはまた、産業用エンジン及び／又はエンジン駆動産業用ロボットを備えるシステムにもよく適している。
【００４６】
本発明のある態様による革新的な方法及び革新的なＳＣＲシステムはまた、例えばディーゼル発電機を備えた発電所等、様々な種類の動力設備にもよく適している。
【００４７】
この革新的な方法及び革新的なＳＣＲシステムは、例えば機関車又は他の何らかのプラットフォーム等の、エンジン及びＳＣＲシステムを備えるいずれのエンジンシステムによく適している。
【００４８】
この革新的な方法及び革新的なＳＣＲシステムは、ＮＯＸ発生器及びＳＣＲシステムを備えるいずれのシステムによく適している。
【００４９】
本明細書では、用語「リンク」は、光電子通信線のような物理的な接続、又は例えばラジオ波リンク若しくはマイクロ波リンクのような無線接続等の非物理的な接続であってよい、通信リンクを指す。
【００５０】
本明細書では、用語「ライン」は、例えば液体形態の還元剤等の流体を保持及び搬送するための通路を指す。ラインはいずれのサイズのパイプであってよい。ラインは、例えばプラスチック、ゴム又は金属等のいずれの適切な材料製であってよい。
【００５１】
本明細書では、用語「還元剤」は、ＳＣＲシステム内の特定の排出物と反応するために使用される作用剤を指す。これらの排出物は、例えばＮＯＸガスであってよい。前記還元剤を表す別の用語に「還元体」がある。本明細書では、用語「還元体」及び「還元剤」は同義のものとして使用される。あるバージョンでは、前記還元剤はいわゆるＡｄＢｌｕｅである。他の種類の還元剤も当然使用してよい。本明細書では還元剤の一例としてＡｄＢｌｕｅを挙げるが、他のタイプの還元剤を用いてこの革新的な方法及び革新的なＳＣＲシステムを実施可能であることは当業者には明らかであろう。
【００５２】
ＳＣＲシステム内の還元剤が、望ましくない還元剤結晶を形成し得るという可能性について、ここで説明する。これらの還元剤結晶は、尿素凝集物、尿素石又は尿素沈殿物と呼ばれることもある。
【００５３】
エンジン及びこれに関連するＳＣＲシステムを、温度及び排気流に関して不適切な動作点において一定の時間にわたって作動させることで、気化できる量よりも多くの還元剤が添加されることになると、還元剤結晶が形成され得る。これは、排気システム、例えばＳＣＲ触媒の気化モジュール又は排気システムのサイレンサにおける還元剤の集積につながり得る。還元剤のこのような集積は初め液体形態であるが、不適切な動作点におけるエンジン及びＳＣＲ触媒システムの連続動作により、還元剤の固化及びいわゆる尿素沈殿物の形成が起こる場合があり、この尿素沈殿物のサイズは、エンジン及びＳＣＲ触媒システムの連続動作中に急速に増大し得る。
【００５４】
前記還元剤結晶は主に尿素からなってよいが、様々なタイプのある程度安定した堆積物が発生し得、例えばＣＹＡ（シアヌル酸）を含む場合や、特定の場合にはアンメリドさえ含む場合がある。
【００５５】
前記還元剤結晶の色は、その組成を表し得る。原理的には、結晶の色が暗くなればなるほど、この結晶を形成する尿素副産物がより安定であり、焼剥きによる結晶の良好な除去のために必要な温度が高くなる。
【００５６】
還元剤結晶の、沈殿が始まる領域は、暗めの色をしていることが多く、蓄積層はより明るい色である。
【００５７】
図２ａは、車両１００のサブシステム２９９を示す。このサブシステムはトラクタユニット１１０内に配置されており、ＳＣＲシステムの一部であってよい。この例では、サブシステムは、液体形態の還元剤を保持するよう配設されたコンテナ２０５を備える。このコンテナは、適切な量の還元剤を含むよう、そして必要に応じて再充填可能でもあるよう、適合される。コンテナは、例えば７５リットル又は５０リットルの還元剤を収容してよい。
【００５８】
第１のライン２７１は、コンテナ２０５からポンプ２３０へと還元剤を導くために設けられる。このポンプは、いずれの適切なポンプであってよい。このポンプは、少なくとも１つのフィルタを設けたダイヤフラムポンプであってよい。このポンプは、電気モータによって駆動されるよう適合してよい。このポンプは、コンテナ２０５から第１のライン２７１を介して還元剤を取り出すよう、及び第２のライン２７２を介して添加ユニット２５０へと還元剤を供給するよう適合される。この添加ユニットは、電気制御された添加弁を備え、この弁を用いて、排気システムに添加される還元剤の流れを制御できる。ポンプ２３０は、第２のライン２７２内の還元剤に加圧するよう適合される。添加ユニット２５０はスロットルユニットを備え、サブシステム２９９内で還元剤の前記圧力がこのスロットルユニットに対して上昇する。
【００５９】
添加ユニット２５０は、前記還元剤を車両１００の排気システムに供給するよう適合される。図２ｂを参照して、排気システムについて以下により詳細に言及する。より具体的には、添加ユニットは、適切な量の還元剤を、車両の排気システムに、制御された様式で供給するよう適合される。このバージョンでは、ＳＣＲ触媒（図２ｂ参照）は、排気システム内において下流の位置に配置され、ここで還元剤の供給が行われる。
【００６０】
添加ユニット２５０は、例えば排気パイプに隣接して配置され、この排気パイプは、車両の内燃機関（図２ｂ参照）からＳＣＲ触媒へと排気ガスを導くよう適合される。
【００６１】
添加ユニット２５０とコンテナ２０５の間に第３のライン２７３が走っており、この第３のライン２７３は、添加ユニット２５０へと供給された還元体のうち特定の量をコンテナへ戻るように導くよう適合される。この構成により、添加ユニットを有利に冷却できる。
【００６２】
第１の制御ユニット２００は、リンク２９３を介して圧力センサ２２０と通信するよう配設される。圧力センサは、センサが設置された位置における還元体の現在の圧力を検知するよう適合される。このバージョンでは、圧力センサは第２のライン２７２に隣接して配置され、これによってポンプ２３０の下流の還元体の作動圧を測定する。圧力センサは、還元体の現在の圧力に関する情報を含む信号を第１の制御ユニット２００に連続的に送信するよう適合される。
【００６３】
第１の制御ユニット２００は、リンク２９２を介して添加ユニット２５０と通信するよう配設される。この第１の制御ユニットは、ポンプの動作を制御して、例えばサブシステム２９９内の還元体の流れを調節するよう適合される。第１の制御ユニットは、関連する電気モータを調節することによってポンプの作動力を制御するよう適合される。
【００６４】
第１の制御ユニット２００は、リンク２９１を介して添加ユニット２５０と通信するよう配設される。この第１の制御ユニットは、添加ユニットの動作を制御して、例えば車両の排気システムへの還元体の供給を調節するよう適合される。第１の制御ユニットは、添加ユニットの動作を制御して、例えばコンテナ２０５への還元体の戻り供給を調節するよう適合される。
【００６５】
第２の制御ユニット２１０は、リンク２９０を介して第１の制御ユニット２００と通信するよう配設される。この第２の制御ユニットは、第１の制御ユニットに着脱可能に接続してよい。第２の制御ユニットは、車両の外部にある制御ユニットであってよい。第２の制御ユニットは、本発明による革新的な方法を実行するために適合してよい。第２の制御ユニットを用いて、第１の制御ユニットにソフトウェア、特にこの革新的な方法を適用するためのソフトウェアを相互ロードしてよい。代替として、第２の制御ユニットは、車両の内部ネットワークを介して第１の制御ユニットと通信するよう配設される。第２の制御ユニットは、第１の制御ユニットと実質的に同様の機能を実行するよう適合してよく、この機能とは例えば、触媒内の還元剤結晶の存在の可能性のいずれの指標を決定するため及び触媒内の結晶の存在が検知されたことを決定するために、異なる温度でＳＣＲ触媒の上流及び下流において測定したＮＯＸ含有量を比較する等である。この革新的な方法は、第１の制御ユニット２００又は第２の制御ユニット２１０又はこれら両方によって実行してよく、これら両方によって実行する場合、第１の制御ユニットはこの革新的な方法の特定の部分を実行してよく、第２の制御ユニットは他の特定の部分を実行してよい。
【００６６】
図２ｂは、車両１００のサブシステム２９８を示す。このサブシステムはトラクタユニット１１０内に配置され、ＳＣＲシステムの一部を形成してよい。この例では、サブシステム２９８は、内燃機関２４０及び第１の排気通路２４１を備え、第１の排気通路２４１は、エンジンが生成した排気流をＳＣＲ触媒２６０へと導くよう適合される。この触媒は従来の方法で車両１００のサイレンサに組み込まれる。更に、排気流を車両の周囲環境へと導くための第２の排気通路２５１を設ける。
【００６７】
第１のＮＯＸセンサ２４５は、第１の排気通路２４１に隣接して設けられ、第１の排気通路内の現在のＮＯＸ含有量を測定するよう適合される。第１のＮＯＸセンサ２４５は、ＳＣＲ触媒２６０の上流において第１の排気通路内の現在のＮＯＸ含有量を測定するよう適合される。この第１のＮＯＸセンサは、リンク２４６を介して第１の制御ユニット２００と通信するために配設される。第１のＮＯＸセンサは、排気流の現在のＮＯＸ含有量に関する情報を含む信号を第１の制御ユニットに連続的に送信するよう適合される。この第１の制御ユニットは、触媒の上流の排気流の現在のＮＯＸ含有量に関する情報を含む前記信号を受信するよう適合される。
【００６８】
第２のＮＯＸセンサ２５５は、第２の排気通路２５１に隣接して設けられ、第２の排気通路２５１内の現在のＮＯＸ含有量を測定するよう適合される。第２のＮＯＸセンサ２５５は、ＳＣＲ触媒２６０の下流において第２の排気通路内の現在のＮＯＸ含有量を測定するよう適合される。この第２のセンサは、リンク２５６を介して第１の制御ユニット２００と通信するために配設される。第２のセンサは、排気流の現在のＮＯＸ含有量に関する情報を含む信号を第１の制御ユニットに連続的に送信するよう適合される。この第１の制御ユニットは、触媒の下流の排気流の現在のＮＯＸ含有量に関する情報を含む前記信号を受信するよう適合される。
【００６９】
温度センサ２６５は、ＳＣＲ触媒２６０に隣接して設けられ、触媒の現在の温度の表示を測定するよう適合される。温度センサ２６５は、触媒内の排気流の現在の温度を測定するよう適合してよい。代替として、温度センサ２６５は、触媒の気化モジュールの温度を測定するよう適合してよい。温度センサ２６５は、リンク２６６を介して第１の制御ユニット２００と通信するために配設される。温度センサ２６５は、その監視領域における現在の温度に関する情報を含む信号を第１の制御ユニットに連続的に送信するよう適合される。第１の制御ユニットは、触媒に隣接する監視領域における現在の温度に関する情報を含む前記信号を受信するよう適合される。
【００７０】
上記の通り図２ａにも示したように、第１の制御ユニット２００は、第２の制御ユニット２１０と通信するために配設される。
【００７１】
第１の制御ユニット２００は、触媒の上流及び下流におけるＳＣＲ触媒２６０の現在の温度及びＮＯＸ含有量に関する情報を含む信号を連続的に受信するよう適合される。これらの信号に基づいて、第１の制御ユニットは、適切な時点において排気流への還元剤の供給を遮断することによって、気化された還元剤を触媒から実質的になくすことができる。第１の制御ユニットは更に、応用可能な場合に、即ち還元剤結晶が気化する触媒温度において、触媒の上流及び下流のＮＯＸ含有量を測定し、これらを比較し、触媒の上流で測定したＮＯＸ含有量と触媒の下流で測定したＮＯＸ含有量との間の差が一定の値を超過する場合、これを、触媒内に還元剤結晶が存在する可能性の指標とみなすよう適合される。
【００７２】
第１の制御ユニットは更に、還元剤結晶が気化しない温度において、触媒の上流及び下流のＮＯＸ含有量を測定し、触媒の上流で測定したＮＯＸ含有量と触媒の下流で測定したＮＯＸ含有量とを比較して、その差が一定の値未満である場合、ＮＯＸ含有量が正しく測定されているものとするよう適合され；また、ＮＯＸ含有量が正しく測定され、触媒内の還元剤結晶の存在が示された場合に、還元剤結晶の存在を結論づけるよう適合される。
【００７３】
図３は、本発明のある態様を示すある例示的実施形態における３つの異なるパラメータを時間に対して概略的にプロットしたものである。
【００７４】
第１のパラメータは、時間に対する、エンジン２４０からの排気流内のＮＯＸ含有量である。実線ａは、第１のＮＯＸセンサ２４５によってＳＣＲ触媒２６０の上流で連続的に測定されたＮＯＸ含有量を表す。破線ｂは、第２のＮＯＸセンサ２５５によって触媒の下流で連続的に測定されたＮＯＸ含有量を表す。
【００７５】
第２のパラメータは、温度センサ２６５によって連続的に測定された、触媒の現在の温度Ｔである。
【００７６】
第３のパラメータは、排気流に添加された（尿素を含む）還元剤の量であり、これは、第１の制御ユニット２００によって、特に（圧力センサ２２０によって測定された）還元剤の現在の圧力及び添加ユニット２５０の開放時間に基づいて算出される。
【００７７】
図３から分かるように、尿素添加は第１の時点ｔ１において遮断され、これに続いて、貯蔵された（気化された）還元剤を触媒からなくす。触媒の温度が約３００℃を超えた第２の時点ｔ２において、触媒の上流及び下流でＮＯＸ含有量の第１の測定を行い、これらを比較する。この例では、これらの測定値は、触媒内に還元剤結晶が存在し得ることの指標とみなすに十分なほど異なる。
【００７８】
時点ｚ１において、触媒の現在の温度を２００℃未満に低下させることによって車両の推進力を変化させる。時点ｚ２において、触媒の温度は２００℃である。
【００７９】
第３の時点ｔ３において、触媒の上流及び下流でＮＯＸ含有量の第２の測定を行い、これらを比較する。この例では、この時点での測定値は、触媒内に還元剤結晶が存在すると結論づけるに十分な程度に同一である。
【００８０】
一実施例では、第３の時点及び時点ｚ３によって画定される期間にわたってＳＣＲ触媒の上流及び下流で測定したＮＯＸ含有量に関して、移動平均を算出してよい。算出された上記期間にわたる移動平均が十分に同一である場合、触媒内に還元剤結晶が検知されたものと考えてよい。
【００８１】
一実施例では、第２の時点ｔ２と時点ｚ２との間に還元剤の添加を行ってよい。２００℃未満の温度で還元剤を添加するのは不適切であるため、第１の制御ユニット２００は時点ｚ２において、還元剤の添加を能動的にオフに切り替えることができる。
【００８２】
図４ａは、ＳＣＲ触媒の上流の排気流に還元剤を供給し、触媒の上流及び下流において排気ガス中のＮＯＸ含有量を測定し、触媒内の還元剤結晶のいずれの存在を検知する、本発明のある実施形態によるＳＣＲシステムに関連する方法の、概略的なフローチャートである。
【００８３】
本方法は、以下のステップ：
第１の時点において、気化した還元剤が触媒内から実質的になくなるように、排気流への還元剤の供給を遮断するステップ；
還元剤結晶が気化する触媒の第１の温度に対応する、第１の時点より後の第２の時点において、触媒の上流及び下流でＮＯＸ含有量を測定するステップ；
触媒の上流及び下流で測定したＮＯＸ含有量を比較して、触媒の上流で測定したＮＯＸ含有量と触媒の下流で測定したＮＯＸ含有量との間の差が一定の値を超過する場合、これを、触媒内に還元剤結晶が存在する可能性の指標とみなすステップ；
還元剤結晶が気化しない触媒の第２の温度に対応する第３の時点において、触媒の上流及び下流でＮＯＸ含有量を測定するステップ；
触媒の上流及び下流で測定したＮＯＸ含有量を比較して、触媒の上流で測定したＮＯＸ含有量と触媒の下流で測定したＮＯＸ含有量との間の差が一定の値未満である場合、ＮＯＸ含有量が正しく測定されているものとするステップ；並びに
ＮＯＸ含有量が正しく測定され、触媒内の還元剤結晶の存在が示された場合に、還元剤結晶の存在を結論づけるステップ
からなる第１のステップｓ４０１を含む。
【００８４】
本方法は、ステップｓ４０１の後に終了する。
【００８５】
図４ｂは、ＳＣＲ触媒の上流の排気流に還元剤を供給し、触媒の上流及び下流において排気ガス中のＮＯＸ含有量を測定し、触媒内の還元剤結晶のいずれの存在を検知する、本発明のある実施形態によるＳＣＲシステムに関連する方法の、概略的なフローチャートである。
【００８６】
本方法は、第１の時点ｔ１において、気化した（貯蔵された）還元剤が触媒内から実質的になくなるように、排気流への還元剤の供給を遮断するステップを含む、第１のステップｓ４１０を含む。このステップは、触媒内の還元剤結晶が気化できる例えば３００℃超の温度に触媒が達することができた適切な時点において実施される。ステップｓ４１０の後にステップｓ４２０が続く。
【００８７】
方法ステップｓ４２０は、還元剤結晶が気化できる触媒の第１の温度Ｔ１に対応する、第１の時点より後の第２の時点ｔ２において、触媒の上流及び下流でＮＯＸ含有量を測定するステップを含む。一実施例では、前記第１の温度Ｔ１は３００℃超である。前記測定はそれぞれ、第１のＮＯＸセンサ２４５及び第２のＮＯＸセンサ２５５によって行われる。代替的に、気化した還元剤が触媒からなくなったと考えられる時点、例えば第２の時点ｔ２において、所定の期間、例えば１０秒にわたって、触媒の上流及び下流で測定したＮＯＸ含有量の移動平均を取る場合もある。ステップｓ４２０の後にステップｓ４３０が続く。
【００８８】
方法ステップｓ４３０は、触媒の上流及び下流で測定したＮＯＸ含有量を比較して、これらの差が一定の値を超過する場合、これを、触媒内に還元剤結晶が存在する可能性の指標とみなすステップを含む。
【００８９】
あるバージョンでは、触媒の上流及び下流で測定したＮＯＸ含有量の間の差が、相対差３５％を超える場合、触媒内の還元剤結晶の存在の可能性が示されていると考えられる。
【００９０】
ステップｓ４３０の後にステップｓ４４０が続く。
【００９１】
方法ステップｓ４４０は、還元剤結晶が気化しない触媒の第２の温度Ｔ２に対応する第３の時点ｔ３において、ＳＣＲ触媒の上流及び下流でＮＯＸ含有量を測定するステップを含む。
【００９２】
前記測定はそれぞれ、第１のＮＯＸセンサ２４５及び第２のＮＯＸセンサ２５５によって行われる。代替的に、第２の時点における上述の測定の前又は後のいずれかの適切な時点において、所定の期間、例えば１０秒にわたって、触媒の上流及び下流で測定したＮＯＸ含有量の移動平均を取る場合もある。
【００９３】
一実施例では、前記第２の温度Ｔ２は２００℃未満である。ステップｓ４４０の後にステップｓ４５０が続く。
【００９４】
ステップｓ４５０は、触媒の上流及び下流で測定したＮＯＸ含有量を比較して、触媒の上流で測定したＮＯＸ含有量と触媒の下流で測定したＮＯＸ含有量との間の差が一定の値未満である場合、ＮＯＸ含有量が正しく測定されているものとし、ＮＯＸ含有量が正しく測定されかつ触媒内の還元剤結晶の存在が示された場合に、還元剤結晶の存在を結論づけるステップを含む。
【００９５】
あるバージョンでは、触媒の上流及び下流で測定したＮＯＸ含有量の間の差が、相対差１０％未満である場合に、触媒内の還元剤結晶の存在が検知されたものと考えられる。
【００９６】
本方法は、ステップｓ４５０の後に終了する。
【００９７】
図５は、あるバージョンのデバイス５００の図である。あるバージョンでは、図２を参照して説明した制御ユニット２００及び２１０は、デバイス５００を備えてよい。デバイス５００は、不揮発性メモリ５２０、データ処理ユニット５１０及び読出し／書込みメモリ５５０を備える。不揮発性メモリ５２０は第１のメモリ要素５３０を有し、第１のメモリ要素５３０には、デバイス５００の機能を制御するための、例えばオペレーティングシステムであるコンピュータプログラムが記憶される。デバイス５００は更に、バスコントローラ、シリアル通信ポート、Ｉ／Ｏ手段、Ａ／Ｄコンバータ、時間及びデータ入力転送ユニット、イベントカウンタ、並びに割り込みコントローラ（図示せず）を備える。不揮発性メモリ５２０はまた、第２のメモリ要素５４０を有する。
【００９８】
上述のコンピュータプログラムＰは、第１の時点において排気流への還元剤の供給を遮断して、気化した還元剤をＳＣＲ触媒から実質的になくすためのルーチンを含む。
【００９９】
プログラムＰは、還元剤結晶が気化する触媒の第１の温度に対応する、第１の時点より後の第２の時点において、ＳＣＲ触媒の上流及び下流でＮＯＸ含有量を測定するためのルーチンを含む。
【０１００】
プログラムＰは、ＳＣＲ触媒の上流及び下流で測定したＮＯＸ含有量を比較して、これらの間の差が一定の値を超過する場合、これを、触媒内に還元剤結晶が存在する可能性の指標とみなすためのルーチンを含む。
【０１０１】
プログラムＰは、還元剤結晶が気化しない触媒の第２の温度に対応する第３の時点において、ＳＣＲ触媒の上流及び下流でＮＯＸ含有量を測定するためのルーチンを含む。
【０１０２】
プログラムＰは、ＳＣＲ触媒の上流及び下流で測定したＮＯＸ含有量を比較して、触媒の上流で測定したＮＯＸ含有量と触媒の下流で測定したＮＯＸ含有量との間の差が一定の値未満である場合、ＮＯＸ含有量が正しく測定されているものとするための、並びにＮＯＸ含有量が正しく測定され、触媒内の還元剤結晶の存在が示された場合に、還元剤結晶が存在するものと考えるためのルーチンを含む。
【０１０３】
プログラムＰは、メモリ５６０及び／又は読出し／書込みメモリ５５０に、実行可能な形式又は圧縮形式で記憶してよい。
【０１０４】
「データ処理ユニット５１０が特定の機能を実行する」という場合、これは、データ処理ユニット５１０が、メモリ５６０に記憶されたプログラムの特定の部分又は読出し／書込みメモリ５５０に記憶されたプログラムの特定の部分を実行することを意味する。
【０１０５】
データ処理ユニット５１０は、データバス５１５を介してデータポート５９９と通信できる。不揮発性メモリ５２０は、データバス５１２を介してデータ処理ユニット５１０と通信するよう設計される。別個のメモリ５６０は、データバス５１１を介してデータ処理ユニットと通信するよう設計される。読出し／書込みメモリ５５０は、データバス５１４を介してデータ処理ユニットと通信するよう配設される。例えばリンク２４６、２５６、２６６、２９０、２９１、２９２及び２９３を、データポート５９９に接続してよい（図２ａ、２ｂ参照）。
【０１０６】
データポート５９９でデータを受信すると、これらのデータは第２のメモリ要素５４０に一時的に記憶される。受信した入力データを一時的に記憶すると、データ処理ユニット５１０は上述のようにコードを実行する準備ができた状態となる。あるバージョンでは、データポート５９９で受信した信号は、ＳＣＲ触媒２６０の現在の温度に関する情報を含む。
【０１０７】
あるバージョンでは、データポート５９９で受信した信号は、ＳＣＲ触媒２６０の上流の現在のＮＯＸ含有量に関する情報を含む。
【０１０８】
あるバージョンでは、データポート５９９で受信した信号は、ＳＣＲ触媒２６０の下流の現在のＮＯＸ含有量に関する情報を含む。
【０１０９】
デバイス５００は、データポート５９９で受信した上記信号を用いて、この革新的な方法によってＳＣＲ触媒２６０内の還元剤結晶のいずれの存在を検知できる。
【０１１０】
デバイス５００は、メモリ５６０又は読出し／書込みメモリ５５０に記憶されたプログラムを実行するデータ処理ユニット５１０を用いて、本明細書に記載の方法の一部を実行できる。デバイス５００がプログラムを実行すると、本明細書に記載の方法が実行される。
【０１１１】
本発明の好ましい実施形態に関する以上の説明は、例示及び説明を目的として提供したものである。この説明は包括的な説明を意図したものではなく、また本発明を本明細書に記載の変形例に限定することを意図したものでもない。多数の改変例及び変形例が当業者には明らかであろう。本発明の原理及びその実際の応用を最も良好に説明し、またそれによって当業者が本発明を、異なる実施形態に関して、使用目的に適切な様々な改変例とともに理解できるよう、実施形態を選択して説明した。
【図１】
2014527599.tif 000003
【図２ａ】
2014527599.tif 000004
【図２ｂ】
2014527599.tif 000005
【図３】
2014527599.tif 000006
【図４ａ】
2014527599.tif 000007
【図４ｂ】
2014527599.tif 000008
【図５】
2014527599.tif 000009
【国際調査報告】
2014527599.tif 000010
2014527599.tif 000011
2014527599.tif 000012
2014527599.tif 000013